(57)【要約】【課題】本発明は、ハードディスクドライブを提供することを目的とする。【解決手段】本発明のハードディスクドライブは、コンピューターに接続されて、コンピューターにデータを伝送するか又はコンピューターからのデータを受け取るインターフェースモジュールと、データを読み出すか又は格納するメモリユニットと、インターフェースモジュールとメモリユニットとの間に接続されて、読み出したデータ又は格納しようとするデータを処理するデータプロセスシステムと、インターフェースモジュール及びデータプロセスシステムに接続されて、ハードディスクドライブの動作モード及び動作状態などを制御するマイクロプロセッサーと、マイクロプロセッサーに接続される指示ランプモジュールと、を備え、マイクロプロセッサーは、ハードディスクドライブの動作状態を検出し、且つこの動作状態によって指示ランプモジュールの表示モードを制御する。【選択図】図１
2012133862.tif 000002
【特許請求の範囲】
【請求項１】
コンピューターに電気的に接続されて、前記コンピューターにデータを伝送するか又は前記コンピューターからのデータを受け取るインターフェースモジュールと、
データを読み出すか又は格納するメモリユニットと、
前記インターフェースモジュールと前記メモリユニットとの間に接続されて、読み出したデータ又は格納しようとするデータを処理するデータプロセスシステムと、
前記インターフェースモジュール及び前記データプロセスシステムに電気的に接続されて、ハードディスクドライブの動作モード及び動作状態などを制御するマイクロプロセッサーと、
を備えてなるハードディスクドライブであって、
前記マイクロプロセッサーに電気的に接続される指示ランプモジュールをさらに備え、前記マイクロプロセッサーは、前記インターフェースモジュール又は前記データプロセスシステムから伝送される前記ハードディスクドライブの動作状態を検出し、且つこの動作状態によって、前記指示ランプモジュールの表示モードを制御することを特徴とするハードディスクドライブ。
【請求項２】
前記ハードディスクドライブは、前記インターフェースモジュールに電気的に接続されるキャッシュをさらに備え、前記キャッシュは、前記ハードディスクドライブと前記コンピューターとの間で伝送するデータを一時的に格納することを特徴とする請求項１に記載のハードディスクドライブ。
【請求項３】
前記ハードディスクドライブは、前記メモリユニットと前記マイクロプロセッサーとの間に接続される駆動モジュールをさらに備え、前記駆動モジュールは、前記マイクロプロセッサーからの制御情報を受信して、前記メモリユニットがデータを格納するか又はデータを読み出す操作を実行することを制御することを特徴とする請求項１に記載のハードディスクドライブ。
【請求項４】
前記指示ランプモジュールは、前記ハードディスクドライブが動作状態にあるか否かを表示するために用いられる第一指示ランプ及び前記ハードディスクドライブが故障状態にあるか否かを表示するために用いられる第二指示ランプを備えることを特徴とする請求項１に記載のハードディスクドライブ。
【発明の詳細な説明】
【技術分野】
【０００１】
本発明は、ハードディスクドライブに関するものである。
【背景技術】
【０００２】
サーバー、データセンター又はコンピューターシステムにおいて、大量のデータを格納するために、複数のハードディスクドライブを備える。一般的に複数のハードディスクドライブを１つの背板に装着して、ハードディスクドライブを便利に取り替えるか、又はデータのバックアップと修復を行うことができる。背板には、ハードディスクドライブの動作状態を表示するための指示ランプも設置されている。
【発明の概要】
【発明が解決しようとする課題】
【０００３】
しかし、指示ランプが背板に設置されているので、わりに長い導光管を利用して指示ランプの光線をユーザーに見える位置にガイドすることを必要として、システムのコストを増加し、且つ複数の導光管によってガイドされる光線が互いに影響しないように、導光管のデザインも複雑になり、システムの研究開発周期を延長する。
【０００４】
本発明の目的は、前記課題を解決し、指示ランプを有するハードディスクドライブを提供することである。
【課題を解決するための手段】
【０００５】
本発明に係るハードディスクドライブは、コンピューターに電気的に接続されて、前記コンピューターにデータを伝送するか又は前記コンピューターからのデータを受け取るインターフェースモジュールと、データを読み出すか又は格納するメモリユニットと、前記インターフェースモジュールと前記メモリユニットとの間に接続されて、読み出したデータ又は格納しようとするデータを処理するデータプロセスシステムと、前記インターフェースモジュール及び前記データプロセスシステムに電気的に接続されて、前記ハードディスクドライブの動作モード及び動作状態などを制御するマイクロプロセッサーと、前記マイクロプロセッサーに電気的に接続される指示ランプモジュールと、を備え、前記マイクロプロセッサーは、前記インターフェースモジュール又は前記データプロセスシステムから伝送されるハードディスクドライブの動作状態を検出し、且つこの動作状態によって、前記指示ランプモジュールの表示モードを制御する。
【発明の効果】
【０００６】
従来の技術に比べて、本発明のハードディスクドライブには、指示ランプモジュールが設けられているので、ユーザーは直接に前記ハードディスクドライブからその動作状態を観察することができ、前記ハードディスクドライブを装着する背板に指示ランプを設置することを必要とせず、導光管も省略して、システムのコストを下げることができ、且つシステムの研究開発周期も短縮する。
【図面の簡単な説明】
【０００７】
【図１】本発明の実施形態に係るハードディスクドライブの機能ブロック図である。
【図２】本発明の実施形態に係るハードディスクドライブの指示ランプモジュールの設置位置を示す図である。
【発明を実施するための形態】
【０００８】
以下、図面を参照して、本発明の実施形態について説明する。
【０００９】
図１を参照すると、ハードディスクドライブ１００は、インターフェースモジュール１１０と、データプロセスシステム１２０と、メモリユニット１３０と、マイクロプロセッサー１４０と、指示ランプモジュール１５０と、を備える。
【００１０】
前記インターフェースモジュール１１０は、コンピューター２００に電気的に接続されて、前記ハードディスクドライブ１００からのデータを前記コンピューター２００に送信するか、又は前記コンピューター２００からのデータを前記ハードディスクドライブ１００に送信する。又、前記インターフェースモジュール１１０は、前記ハードディスクドライブ１００の動作状態を前記マイクロプロセッサー１４０に伝送する。
【００１１】
前記データプロセスシステム１２０は、前記インターフェースモジュール１１０と前記メモリユニット１３０との間に接続されて、前記メモリユニット１３０から読み出したデータ又は前記メモリユニット１３０に格納しようとするデータを処理するために用いられる。前記データプロセスシステム１２０も前記ハードディスクドライブ１００の動作状態を前記マイクロプロセッサー１４０に伝送することができる。
【００１２】
前記メモリユニット１３０は、前記データプロセスシステム１２０に電気的に接続されて、前記ハードディスクドライブ１００からのデータを前記コンピューター２００に送信する場合、データを読み出して前記データプロセスシステム１２０に伝送し且つ前記インターフェースモジュール１１０を通して前記コンピューター２００に送信し、前記コンピューター２００からのデータを前記ハードディスクドライブ１００に送信する場合、前記データプロセスシステム１２０は前記インターフェースモジュール１１０からデータを受け取り、前記メモリユニット１３０は前記データプロセスシステム１２０からのデータを格納する。
【００１３】
前記マイクロプロセッサー１４０は、前記インターフェースモジュール１１０及び前記データプロセスシステム１２０に電気的に接続されており、前記ハードディスクドライブ１００の動作モード及び動作状態などを制御する。前記マイクロプロセッサー１４０は、前記インターフェースモジュール１１０又は前記データプロセスシステム１２０から伝送される前記ハードディスクドライブ１００の動作状態を検出し、且つ前記ハードディスクドライブ１００の動作状態によって、前記指示ランプモジュール１５０の表示モードを制御する。
【００１４】
前記指示ランプモジュール１５０は、前記マイクロプロセッサー１４０に電気的に接続されており、前記ハードディスクドライブ１００の動作状態を表示するために用いられる。図２を参照すると、前記指示ランプモジュール１５０は、第一指示ランプ１５１及び第二指示ランプ１５２を備える。前記第一指示ランプ１５１及び前記第二指示ランプ１５２は、前記ハードディスクドライブ１００の正面又は背面に設置されて、ユーザーが前記ハードディスクドライブ１００の動作状態を便利に観察するようにする。前記第一指示ランプ１５１は、前記ハードディスクドライブ１００が動作状態にあるか否かを表示するために用いられ、即ちデータ格納状態又はデータ読出状態にあるか否かを表示する。前記第二指示ランプ１５２は、前記ハードディスクドライブ１００が故障状態にあるか否かを表示するために用いられる。前記第一指示ランプ１５１及び前記指示ランプ１５２は、点灯、消灯又は煌く状態で前記ハードディスクドライブ１００の異なる動作モードを代表する。前記第一指示ランプ１５１及び前記指示ランプ１５２は、発光ダイオードランプであることができる。
【００１５】
前記ハードディスクドライブ１００は、前記インターフェースモジュール１１０に電気的に接続されるキャッシュ（ｃａｃｈｅ）１６０をさらに備える。前記キャッシュ１６０は、前記ハードディスクドライブ１００と前記コンピューター２００との間で伝送するデータを一時的に格納することができ、且つ前記ハードディスクドライブ１００と前記コンピューター２００との間のデータ伝送速度を速めることができる。
【００１６】
前記ハードディスクドライブ１００は、前記メモリユニット１３０と前記マイクロプロセッサー１４０との間に接続される駆動モジュール１７０をさらに備える。前記メモリユニット１３０は、データを読み出すか又はデータを格納するためにアクチュエーターアームを含む。前記駆動モジュール１７０は、前記マイクロプロセッサー１４０からの制御情報を受信して、前記メモリユニット１３０のアクチュエーターアームの移動を制御し、従って前記メモリユニット１３０はデータを格納するか又はデータを読み出す。
【００１７】
前記ハードディスクドライブ１００の正面又は背面には、前記第一指示ランプ１５１及び前記第二指示ランプ１５２が設置されているので、ユーザーは前記第一指示ランプ１５１及び前記第二指示ランプ１５２の状態（点灯、消灯又は煌く状態）によって、前記ハードディスクドライブ１００が動作状態又は故障状態にあるか否かを便利に判断することができ、従来の技術のように、前記ハードディスクドライブ１００を装着する背板に指示ランプを設置することを必要とせず、導光管も省略して、システムのコストを下げることができ、且つシステムの研究開発周期も短縮する。
【００１８】
前記ハードディスクドライブ１００は、サーバー、データセンター又はコンピューターシステムに適用する
【００１９】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２０】
１００  ハードディスクドライブ
１１０  インターフェースモジュール
１２０  データプロセスシステム
１３０  メモリユニット
１４０  マイクロプロセッサー
１５０  指示ランプモジュール
１５１  第一指示ランプ
１５２  第二指示ランプ
１６０  キャッシュ
１７０  駆動モジュール
２００  コンピューター
【図１】
2012133862.tif 000003
【図２】
2012133862.tif 000004